(57)【特許請求の範囲】
【請求項１】
行状に配した走査電極を有するプラズマセル及び列状に配した信号電極を有する表示セルを互いに重ねたフラットパネルと、該走査電極に順次選択パルスを印加して該表示セルの走査を行なう走査回路と、該走査に同期して該信号電極に画像データを供給し、各走査線毎に画像データを書き込む信号回路とを備えたプラズマアドレス表示装置であって、
前記プラズマセルは、互いに隔絶された行状の放電チャネルが形成されており、各放電チャネルには放電可能な気体が含まれているとともに走査電極が割り当てられており、複数の走査線を一本の放電チャネルに形成し、
前記信号回路は、一本の放電チャネルに属する複数の走査線に対して同極性の画像データを書き込み、次の放電チャネルに属する複数の走査線に対して逆極性の画像データを書き込んで表示セルの交流駆動を行なうとともに、極性の切り替えと放電終了後の残存荷電粒子に起因する、放電チャネル内の後側の画像データの変化を打ち消すために、放電チャネル内の後側の走査線に書き込まれる画像データを補正して極性の切り替えの影響を受けない前側の走査線に書き込まれる画像データに合わせるようにしたことを特徴とするプラズマアドレス表示装置。
【請求項２】
前記放電チャネルは、行状の空間を形成する一対の隔壁と、各隔壁の下部に配された走査電極と、該空間内で両側の該走査電極の中間に配された中央走査電極とからなり、前の方の走査線が一方の隔壁の下部に配された走査電極と中央走査電極との間に規定され、後の方の走査線が他方の隔壁の下部に配された走査電極と中央走査電極との間に規定されており、
前記走査回路は、中央走査電極に選択パルスを印加して該放電チャネルの前半分及び後半分を合わせたほぼ全体に放電を発生させ、次いで他方の隔壁の下部に配された走査電極に選択パルスを印加して該放電チャネルの後半分に放電を発生させることにより、前半分と併せて前後二本の走査線を一本の放電チャネルに形成することを特徴とする請求項１記載のプラズマアドレス表示装置。
【発明の詳細な説明】
【０００１】
【発明の属する技術分野】
本発明は表示セル及びプラズマセルを重ねたフラットパネルと周辺の回路とを有するプラズマアドレス表示装置に関する。より詳しくは、プラズマセルに形成される走査線の高解像度化技術に関する。
【０００２】
【従来の技術】
プラズマアドレス表示装置は例えば特開平４−２６５９３１号公報に開示されており、図６にその構造を示す。図示するように、プラズマアドレス表示装置は表示セル１とプラズマセル２と両者の間に介在する共通の中間シート３とからなるフラットパネル構造を有する。中間シート３は極薄の板ガラス等からなりマイクロシートと呼ばれている。プラズマセル２は中間シート３に接合した下側のガラス基板４から構成されており、両者の空隙に放電可能な気体が封入されている。下側のガラス基板４の内表面にはストライプ状の走査電極が形成されている。これらの走査電極は各々アノードＡ及びカソードＫとして機能する。アノードＡ及びカソードＫを一対ずつ区切るように、隔壁７が形成されており、放電可能な気体が封入された空隙を分割して放電チャネル５を構成する。隣り合う放電チャネル５は隔壁７によって互いに隔絶されている。この隔壁７はスクリーン印刷法により印刷焼成でき、その頂部が中間シート３の一面側に当接している。一対の隔壁７で囲まれた放電チャネル５内で、アノードＡとカソードＫとの間にプラズマ放電を発生させる。尚、中間シート３と下側のガラス基板４はガラスフリット等により互いに接合している。
【０００３】
一方、表示セル１は透明な上側のガラス基板８を用いて構成されている。このガラス基板８は中間シート３の他面側に所定の間隙を介してシール材等により接着されており、間隙には電気光学物質として液晶９が封入されている。上側のガラス基板８の内表面には信号電極Ｙが形成されている。この信号電極Ｙと放電チャネル５の交差部にマトリクス状の画素が形成される。又、ガラス基板８の内表面にはカラーフィルタ１３も設けてあり、各画素に例えばＲＧＢ３原色を割り当てる。係る構成を有するフラットパネルは透過型であり、例えばプラズマセル２が入射側に位置し、表示セル１が出射側に位置する。又、バックライト１２がプラズマセル２側に取り付けられている。
【０００４】
係る構成を有するプラズマアドレス表示装置では、プラズマ放電が行われる行状の放電チャネル５を線順次で切り換え走査するとともに、この走査に同期して表示セル１側の列状信号電極Ｙに画像データを印加することにより表示駆動が行われる。放電チャネル５内にプラズマ放電が発生すると内部はほぼ一様にアノード電位になり、１走査線毎の画素選択が行われる。即ち、１本の放電チャネル５は一本の走査線に対応し、サンプリングスイッチとして機能する。プラズマサンプリングスイッチが導通した状態で各画素に画像データが印加されると、サンプリングが行われ画素の点灯若しくは消灯が制御できる。プラズマサンプリングスイッチが非導通状態になった後画像データはそのまま画素内に保持される。即ち、表示セル１は画像データに応じてバックライト１２からの入射光を出射光に変調し画像表示を行なう。
【０００５】
図７は画素を２個だけ切り取って示した模式図である。この図においては、理解を容易にするために２本の信号電極Ｙ１，Ｙ２と１本のカソードＫ１と１本のアノードＡ１のみが示されている。個々の画素１１は、信号電極Ｙ１，Ｙ２と、液晶９と、中間シート３と、放電チャネルとからなる積層構造を有している。放電チャネルはプラズマ放電中ほぼ実質的にアノード電位に接続される。この状態で各信号電極Ｙ１，Ｙ２に画像データを印加すると液晶９及び中間シート３に電荷が注入される。一方、プラズマ放電が終了すると放電チャネルが絶縁状態に戻るため浮遊電位となり、注入された電荷は各画素１１に保持される。所謂サンプリングホールド動作が行われている。従って、放電チャネルは個々の画素１１に設けられた個々のサンプリングスイッチング素子として機能するので模式的にスイッチングシンボルＳ１を用いて表されている。一方、信号電極Ｙ１，Ｙ２と放電チャネルとの間に保持された液晶９及び中間シート３は、サンプリングキャパシタとして機能する。線順次走査によりサンプリングスイッチＳ１が導通状態になると画像データがサンプリングキャパシタに書き込まれ、データ電圧レベルに応じて各画素の点灯或いは消灯動作が行われる。サンプリングスイッチＳ１が非導通状態になった後にもデータ電圧はサンプリングキャパシタに保持され、表示装置のアクティブマトリクス動作が行われる。尚、実際に液晶９に印加される実効電圧は中間シート３との容量分割により決定される。
【０００６】
【発明が解決しようとする課題】
上述した構造を有するプラズマアドレス表示装置においては、画像の解像度を高くする場合行列配置した画素の高密度化を図る必要がある。水平方向（行方向）に画素を微細化するためには列状信号電極の線幅を細くすればよい。又、垂直方向（列方向）に画素を微細化するには、行状放電チャネルの配列ピッチを短くすればよい。しかしながら、個々の放電チャネルは隔壁により互いに隔絶されている。加工技術の観点から隔壁の厚みを極端に薄くすることは困難であり、機械的な強度等を確保するために最低限の厚みが決まっている。このため、放電チャネルの配列ピッチを小さくすると相対的に隔壁の厚みが占める部分が大きくなるため、実際に光が透過する開口の面積が犠牲になる。換言すると、放電チャネルの本数即ち走査線の本数が増える程パネルの開口率が低下してしまう。又、隔壁はある程度の高さ寸法があるため、斜めから入射した光線を遮ることになる。従って、隔壁の配列ピッチが短くなる程、斜め方向の入射光線が遮られる割合が大きくなり、観察者から見た場合の視角が狭くなってしまう。
【０００７】
プラズマアドレス表示装置の高精細化を行う場合、隔壁や走査電極の作製プロセスの制限が存在し、どうしても開口率が低下する。この結果、ディスプレイとしての明るさが不十分になる。これを補うため、バックライトの発光量を大きくすると、消費電力の増大化に繋がる。又、隔壁及び電極構造を微細化して形成すると、どうしても欠陥の発生率が大きくなり、生産性と開口率の両立が困難である。例えば、図８に示したプラズマセルの構造では、放電チャネル５は配列ピッチＰが１０００μｍで形成されている。隔壁７の幅寸法は２００μｍで、アノードＡ及びカソードＫの幅寸法は夫々２００μｍである。従って、図示したパネルの開口率は１−（２００＋２００＋２００）／１０００＝０．４で、４０％となる。配列ピッチＰを１０００μｍから７００μｍに微細化すると、開口率は１−（２００＋２００＋２００）／７００＝０．１４で、１４％にまで低下してしまう。この場合、アノードＡやカソードＫの電極幅を細くすればある程度開口率を高くできる。しかしながら、電極幅を狭くすると、断線等が生じ歩留り低下を招くとともに、生産性が著しく低下する。本発明はこの様な従来の技術の課題を解決することを目的とする。
【０００８】
【課題を解決する為の手段】
上述した従来の技術の課題を解決する為に以下の手段を講じた。即ち、本発明に係るプラズマアドレス表示装置は基本的な構成として、フラットパネルと走査回路と信号回路とを備えている。フラットパネルは行状に配した走査電極を有するプラズマセル及び列状に配した信号電極を有する表示セルを互いに重ねた積層構造となっている。走査回路は該走査電極に順次選択パルスを印加して該表示パネルの走査を行なう。信号回路は該走査に同期して該信号電極に画像データを供給し、各走査線毎に画像データを書き込む。前記プラズマセルは、互いに隔絶された行状の放電チャネルが形成されている。各放電チャネルには放電可能な気体が含まれているとともに、複数本の走査電極が割り当てられている。特徴事項として、前記走査回路は、１本の放電チャネルに割り当てられた走査電極に順次選択パルスを印加して放電を発生させ、少なくとも前後二本の走査線を１本の放電チャネルに形成する。前記信号回路は、１本の放電チャネルに属する前後二本の走査線に対して同極性の画像データを書き込み、次の放電チャネルに属する前後二本の走査線に対して逆極性の画像データを書き込んで表示セルの交流駆動を行なう。更なる特徴事項として、前記信号回路は、前後二本の走査線のうち、極性の切り替えと放電終了後の残存荷電粒子の影響を受ける後の方の走査線に書き込まれる画像データを、極性の切り替えの影響を受けない前の方の走査線に書き込まれる画像データに合わせて補正する。換言すると、放電チャネル内の各走査線に書き込まれる画像データを補正して極性の切り替えの影響を相殺する。
一実施態様では、前記放電チャネルは、行状の空間を形成する一対の隔壁と、各隔壁の下部に配された走査電極と、該空間内で両側の該走査電極の中間に配された中央走査電極とからなる。前の方の走査線が一方の隔壁の下部に配された走査電極と中央走査電極との間に規定され、後の方の走査線が他方の隔壁の下部に配された走査電極と中央走査電極との間に規定される。この場合、前記走査回路は、中央走査電極に選択パルスを印加して該放電チャネルの前半分及び後半分を合わせたほぼ全体に放電を発生させ、次いで他方向の隔壁の下部に配された走査電極に選択パルスを印加して該放電チャネルの後半分に放電を発生させることにより、前半分と合わせて前後二本の走査線を１本の放電チャネルに形成する。
【０００９】
本発明によれば、プラズマアドレス表示装置において、互いに隔絶された放電チャネルのなかに少くとも前後２本の走査線を割り当てて、表示セルを駆動している。従来に比べ、走査線密度が少くとも２倍になるため、その分画素の高精細化が可能になる。逆の観点からすると、従来と同じ画素密度でよい場合には、放電チャネルの配列ピッチを少くとも２倍にすることができる。この結果、生産性や開口率の向上を達成することが可能となる。又、本発明によれば、１本の放電チャネルに例えば２本の走査電極を割り当てることで、１本の放電チャネルに２本の走査線を形成可能としている。これに対し、従来のプラズマセルは、１本の放電チャネルに一対のアノード及びカソードからなる走査電極を割り当てることで、１本の走査線を形成している。従って、従来例と本発明とで同一本数の走査線を形成する場合、本発明では走査電極の本数を従来に比べ半減することが可能となり、同様に生産性及び開口率の向上を達成することができる。
【００１０】
特に、本発明では、一本の放電チャネルに属する前後二本の走査線に対して例えば正極性の画像データを書き込み、次の放電チャネルに属する前後二本の走査線に対して負極性の画像データを書き込んで表示セルの交流駆動を行なっている。この交流駆動は、電気光学物質として液晶を用いた表示セルの長寿命化に効果的である。この場合、一本の放電チャネルに形成された前後二本の走査線のうち、先に選択される前の方の走査線は後の方に選択される走査線と同一極性であるので交流駆動に基づく極性の切り替えの影響を受けない。これに対し、後の方の走査線は次に極性の切り替えがあるのでその影響を受ける。この結果、後の方の走査線に書き込まれる画像データと前の方の走査線に書き込まれる画像データが例え同一の値を有していても、実際に観察される画素の輝度は異なってしまう。これを防ぐ為、本発明では特に、極性の切り替えの影響を受ける後の方の走査線に書き込まれる画像データを極性の切り替えの影響を受けない前の方の走査線に書き込まれる画像データに合わせて予め補正している。
【００１１】
【発明の実施の形態】
以下図面を参照して本発明の実施の形態を詳細に説明する。図１は、本発明に係るプラズマアドレス表示装置の一実施形態を示す模式図であり、（Ａ）は構成を示す断面図、（Ｂ）は動作を示すタイミングチャート、（Ｃ）は同じく動作を示す説明図である。本発明に係るプラズマアドレス表示装置は、基本的に、フラットパネルと周辺の走査回路及び信号回路とで構成されている。（Ａ）はフラットパネルの構造を表している。図示するように、フラットパネルは表示セル１とプラズマセル２とを両者の間に介在する共通の中間シート３により互いに重ねた積層構造となっている。プラズマセル２は中間シート３に接合した下側のガラス基板４から構成されており、両者の空間に放電可能な気体（例えばキセノンガス又はネオンガス）が封入されている。下側のガラス基板４の内表面にはストライプ状の走査電極Ｘが形成されている。走査電極Ｘは交互に太さが異なっており、図では太い方の走査電極をＸ０，Ｘ２，Ｘ４，……で表し、細い方の走査電極をＸ１，Ｘ３，……で表している。太幅の走査電極Ｘ０，Ｘ２，Ｘ４……に沿って、その直上に隔壁７が形成されており、放電可能な気体が封入された空間を分割して放電チャネル５を構成する。この隔壁７はスクリーン印刷法により印刷焼成でき、その頂部が中間シート３の下面側に当接している。図示するように、隣り合う放電チャネル５は隔壁７によって互いに隔てられている。係る構成により、１本の放電チャネル５に対して丁度２本の走査電極Ｘが割り当てられていることになる。例えば、ある１本の放電チャネル５ｂには走査電極Ｘ１，Ｘ２が割り当てられ、その隣りの放電チャネル５ｃには走査電極Ｘ３，Ｘ４が割り当てられる。
【００１２】
一方、表示セル１は透明な上側のガラス基板８を用いて構成されている。このガラス基板８は中間シート３の上面側に所定の間隙を介してシール材等により接着されており、間隙には電気光学物質として液晶９が封入されている。上側のガラス基板８の内表面には信号電極Ｙが形成されている。この信号電極Ｙと放電チャネル５の交差部にマトリクス状の画素が形成される。又、ガラス基板８の内表面にはカラーフィルタ１３も設けてあり、各画素に例えばＲＧＢ３原色を割り当てる。係る構成を有するフラットパネルは透過型であり、例えばプラズマセル２が入射側に位置し、表示セル１が出射側に位置する。又、バックライト１２がプラズマセル２側に取り付けられている。
【００１３】
次に（Ｂ）に示すように、周辺の走査回路は、走査電極Ｘ０，Ｘ１，Ｘ２，Ｘ３，Ｘ４，……に対して順次選択パルスを印加する。各選択パルスは接地電位に対して負極性となっている。図示の例では、０番目のタイミング（丸囲みの数字で表わす、以下同様）で、走査電極Ｘ０に選択パルスを印加し、１番目のタイミングで走査電極Ｘ１に選択パルスを印加し、２番目のタイミングで走査電極Ｘ２に選択パルスを印加し、３番目のタイミングで走査電極Ｘ３に選択パルスを印加し、４番目のタイミングで走査電極Ｘ４に選択パルスを印加している。以下同様に、各走査電極Ｘに対して順次選択パルスを印加していく。一方、周辺の信号回路は、全ての信号電極Ｙに対して走査回路と同期しながら画像データＤを供給する。図示の例では、０番目のタイミングで負極性の画像データＤ０を供給し、１番目及び２番目のタイミングで夫々正極性の画像データＤ１，Ｄ２を供給し、３番目及び４番目のタイミングで夫々負極性の画像データＤ３，Ｄ４を供給している。以下同様にして、信号電極Ｙに対し画像データＤを印加していく。
【００１４】
０番目のタイミングでは、走査電極Ｘ０に印加された選択パルスが接地レベルに復帰した時点で、信号電極Ｙに供給された負極性の画像データＤ０がサンプリングされ、１走査線分の画素に書き込まれる。但し、実際にはプラズマ中に含まれる準安定粒子等の影響により、データ書き込みは選択パルスと同時にならず、Ｍで示すディケイが現われる。このディケイ部分でも画像データの書き込みが行われるので、次の画像データＤ１の影響が生じ得る。続いて１番目のタイミングでは、走査電極Ｘ１に印加した選択パルスが接地レベルに復帰する時点で、信号電極Ｙに印加された正極性の画像データＤ１がサンプリングされることになる。以下同様に、２番目，３番目，４番目の各タイミングで、画像データが夫々サンプリングされていく。
【００１５】
（Ｃ）は、０番目，１番目及び２番目のタイミングにおける放電チャネルの変化を経時的に示した模式図である。まず、０番目のタイミングでは、一方の隔壁７の直下に位置する走査電極Ｘ０に選択パルスが印加される。この結果、走査電極Ｘ０の両側に位置する接地レベルにある一対の走査電極との間でプラズマ放電が発生する。図では、このプラズマ放電をハッチングで表している。中央に位置する放電チャネル５ｂに着目すると、このプラズマ放電により放電チャネル５ｂの左半分がアノード電位となり、１本の走査線を形成する。この前側走査線上の画素に負極性の画像データＤ０が書き込まれることになる。但し、この負極性の画像データＤ０は本来中央の放電チャネル５ｂに割り当てられたものではなく、その左側に位置する放電チャネル５ａに割り当てられたものである。次に、１番目のタイミングに移行すると、中央の走査電極Ｘ１に選択パルスが印加され、その両側の走査電極Ｘ０，Ｘ２との間でプラズマ放電が発生する。この結果、前後二本の走査線が形成され、各々に正極性の画像データＤ１が書き込まれることになる。即ち、０番目のタイミングで前側の走査線に書き込まれた負極性の画像データＤ０は、１番目のタイミングで直ちに正極性の画像データＤ１に書き換えられることになる。この正極性の画像データＤ１が、前側の走査線に割り当てられた本来の画像データである。続いて２番目のタイミングに移行すると、走査電極Ｘ２に選択パルスが印加され、その両側に位置する走査電極との間でプラズマ放電が発生する。中央の放電チャネル５ｂに着目すると、走査電極Ｘ１とＸ２との間でプラズマ放電が発生し、後側２本目の走査線が形成される。この後側走査線に対して次の正極性の画像データＤ２が書き込まれる。即ち、１番目のタイミングで後側の走査線に書き込まれた正極性の画像データＤ１は、２番目のタイミングで次の本来の正極性の画像データＤ２に書き換えられることになる。中央の走査電極Ｘ１に選択パルスを印加した場合、プラズマ放電は放電チャネル５ｂ全体に広がるのに対し、隔壁７の直下に位置する走査電極Ｘ０，Ｘ２に選択パルスを印加した場合、放電チャネル５のほぼ半分の部分にプラズマ放電が発生する。このため、１番目のタイミングで前側の走査線に書き込まれた画像データＤ１は２番目のタイミングに移行してもそのまま保存される一方、後側の走査線に書き込まれた画像データＤ１は２番目のタイミングで本来の画像データＤ２に書き換えられることになる。以上の説明から明らかなように、同一の放電チャネルに属する前後二本の走査線には、同極性の画像データが書き込まれる。例えば、中央の放電チャネル５ｂでは、前後二本の走査線に夫々正極性の画像データＤ１，Ｄ２が書き込まれる。又、隣りの放電チャネル５ｃに属する前後二本の走査線には、逆極性（負極性）の画像データＤ３，Ｄ４が書き込まれる。
【００１６】
図２は、画像データの書き込み結果を模式的に表した説明図であり、（Ａ）は本発明に対応し、（Ｂ）は図６に示した従来例に対応している。（Ａ）に示すように、走査電極Ｘ１，Ｘ２が割り当てられた放電チャネル５には前側１本目の走査線に１番目の画像データＤ１が書き込まれ、後側２本目の走査線に２番目の画像データＤ２が書き込まれる。１番目及び２番目の画像データＤ１，Ｄ２はともに正極性である。１本の走査線の配列ピッチがＰで表されている。１本の放電チャネル５ｂは前後２本の走査線を含んでいるため、配列ピッチは２Ｐとなる。又、走査電極Ｘ３，Ｘ４が割り当てられた隣りの放電チャネル５ｃでは、１本目の走査線に３番目の画像データＤ３が書き込まれ、２本目の走査線に４番目の画像データＤ４が書き込まれる。３番目及び４番目の画像データＤ３，Ｄ４は夫々負極性である。以下同様に、放電チャネル１本毎に２本の走査線分の画像データが書き込まれる。
【００１７】
一方、図２の（Ｂ）に示すように、従来例では、１本の放電チャネル５に１本の走査線が割り当てられている。この１本の走査線は一対のアノードＡ及びカソードＫで構成されている。走査線密度を本発明と同等にした場合、放電チャネル５の配列ピッチＰは本発明の２分の１となる。（Ａ）と（Ｂ）を比較すれば明らかなように、本発明では隔壁７の本数を従来に比べ半分にすることができる。又、走査電極の本数も半分にすることが可能である。結果として、生産性の向上や開口率の向上を達成することが可能になる。又、隔壁７は視野角を遮る要因となるので、なるべく本数は少なくした方がよい。この点、（Ａ）に示す本発明の構造は、（Ｂ）に示す従来の構造に比べ、隔壁７の本数が半減するため、画面の視野角が広がる。
【００１８】
図３は、本発明に係るプラズマアドレス表示装置の全体構成を示す模式的な回路図である。図示するように、本プラズマアドレス表示装置は基本的に、パネル０と信号回路２１と走査回路２２と制御回路２３とから構成されている。パネル０は行状に配した走査電極Ｘ０乃至Ｘｎを有するプラズマセル及び列状に配した信号電極Ｙ０乃至Ｙｍを有する表示セルを互いに重ねた積層構造となっている。走査回路２２は走査電極Ｘ０乃至Ｘｎに順次選択パルスを印加して表示セルの走査を行なう。信号回路２１は上述した走査に同期して信号電極Ｙ０乃至Ｙｍに画像データを供給し、各走査線５１，５２毎に画像データを書き込む。制御回路２３は信号回路２１及び走査回路２２の同期制御を行なう。前述したように、プラズマセルは、互いに隔絶された行状の放電チャネル５が形成されており、各放電チャネル５には放電可能な気体が含まれているとともに複数本の走査電極が割り当てられている。走査回路２２は、１本の放電チャネル５に割り当てられた複数本の走査電極（例えば、Ｘ１及びＸ２）に順次選択パルスを印加して放電を発生させ、少くとも前後２本の走査線５１，５２を１本の放電チャネル５に形成する。信号回路２１は、１本の放電チャネル５に属する前後二本の走査線５１，５２に対して同極性の画像データを書き込み、隣りの放電チャネルに属する走査線に対して逆極性の画像データを書き込んで、表示セルの交流駆動を行なう。
【００１９】
具体例では、放電チャネル５は、行状の空間を形成する一対の隔壁と、各隔壁の下部に配された走査電極（例えばＸ０，Ｘ２）と、この空間内で両側の走査電極Ｘ０，Ｘ２の中間に配された中央走査電極Ｘ１とからなる。前側１本分の走査線５１が一方の隔壁の下部に配された走査電極Ｘ０と中央走査電極Ｘ１との間に規定され、後側１本分の走査線５２が、他方の隔壁の下部に配された走査電極Ｘ２と中央走査電極Ｘ１との間に規定されている。この場合、走査回路２２は、中央走査電極Ｘ１に選択パルスを印加して放電チャネル５のほぼ全体に放電を発生させ、次いで他方の隔壁の下部に配された走査電極Ｘ２に選択パルスを印加して該放電チャネル５のほぼ後半分に放電を発生させることにより、前半分と併せて２本分の走査線５１，５２を１本の放電チャネル５に形成する。
【００２０】
本発明の特徴事項として、信号回路２１は前後二本の走査線５１，５２のうち極性の切り替えの影響を受ける後の方の走査線５２に書き込まれる画像データＤ２を極性の切り替えの影響を受けない前の方の走査線５１に書き込まれる画像データＤ１に合わせて補正する。この特徴点に付き、以下詳細に説明する。図１の（Ｂ）に示した様に、放電チャネル５ｂの前側走査線には正極性の画像データＤ１が書き込まれ、後側の走査線にも正極性の画像データＤ２が書き込まれる。従って、Ｄ１及びＤ２は同極性であり、先に書き込まれた画像データＤ１が後で書き込まれた画像データＤ２で影響を受けることは実質的にない。しかし、放電チャネル５ｂの後側走査線に正極性の画像データＤ２が書き込まれた後、極性切り替えが生じ、次の放電チャネル５ｃの前側走査線には負極性の画像データＤ３が書き込まれる。この時点で放電チャネル５ｂにはプラズマ放電により生じた準安定粒子が依然として残存している可能性があり、放電チャネル５ｂは完全にオフ状態となっていないことがある。この為、次の放電チャネル５ｃの前側走査線に書き込まれるべき負極性の画像データＤ３が僅かにオン状態にある前の放電チャネル５ｂの後側走査線に書き込まれ、先にサンプルホールドされていた正極性の画像データＤ２を打ち消す様に作用する。正極性の画像データＤ２が負極性の画像データＤ３によって打ち消されるので、ノーマリブラックモードの表示セル１を採用した場合、画像データＤ２の書き込まれた画素は本来の輝度よりも低下してしまう。換言すると、１本の放電チャネル５に書き込まれた画像データＤ１とＤ２では、同一の値を取っていても、実際には前後の走査線間で輝度の差が生じてしまう。ノーマリブラックモードの場合、前の走査線の輝度に比べ、後の走査線の輝度が低下してしまう。
【００２１】
これを防ぐ為、本発明では、信号回路２１は極性の切り替えの影響を受ける後の方の走査線に書き込まれる画像データを極性の切り替えの影響を受けない前の方の走査線に書き込まれる画像データに合わせて補正している。補正の具体的な例を図４に示す。このグラフに含まれる曲線Ｆは前側走査線の輝度特性を示し、曲線Ｒは後側走査線の輝度特性を示す。グラフ中縦軸に相対輝度を％単位で取り、横軸に画像データに基づいて信号電極に印加されるデータ電圧を取ってある。この例はノーマリブラックモードであり、データ電圧が上昇するに連れて輝度は高くなる。例えばデータ電圧が４０Ｖの場合、極性の切り替えの影響を受けない前側走査線では輝度がほぼ６０％である。これに対し、後側走査線では極性切り替えの影響を受け輝度が３０％強まで低下している。この低下分を補償する為、後側走査線にはデータ電圧を４０Ｖではなく、約５０Ｖ印加すればよい。この様にすれば、後側走査線でも６０％の輝度を確保することができる。
【００２２】
図５は、信号回路で行なわれる補正処理の他の例を示すグラフである。本例では外部から入力される画像データを予め書き替えて出力することで前後二本の走査線間の輝度の差異を調整している。グラフ中直線Ｆで示す様に、前側走査線に書き込まれるべき画像データについては入力データをそのまま出力データとしている。これに対し、曲線Ｒで示す様に、後側の走査線に書き込まれるべき画像データについては、予め極性切り替えの影響により生じる輝度の低下を補償する為、入力データを高めにシフトして出力データとしている。
【００２３】
【発明の効果】
以上説明したように、本発明によれば、プラズマアドレス表示装置において、少くとも前後２本の走査線を一本の放電チャネル中に設けている。１本の放電チャネルに少くとも２本の走査線を形成するため、少くとも２本の走査電極を１本の放電チャネルに設けている。係る構成により、従来に比較すると走査電極及び隔壁の本数が半減することで生産性が著しく向上する。又、開口率が向上しディスプレイとしての輝度が高くなり、その分バックライトの消費電力を低減化可能である。加えて、隔壁の本数が半減することで、画面上下方向の視角制限が緩和され、視野角も拡大可能である。特に、表示セルの交流駆動を行なう際に、前後２本の走査線のうち極性の切り替えの影響を受ける後の方の走査線に書き込まれる画像データを極性の切り替えの影響を受けない前の方の走査線に書き込まれる画像データに合わせて補正することにより、表示品位を顕著に改善している。
【図面の簡単な説明】
【図１】本発明に係るプラズマアドレス表示装置の一実施形態を示す模式図である。
【図２】本発明に係るプラズマアドレス表示装置と従来のプラズマアドレス表示装置の構造を比較した説明図である。
【図３】本発明に係るプラズマアドレス表示装置の全体構成を示す回路図である。
【図４】本発明に係るプラズマアドレス表示装置の動作説明に供するグラフである。
【図５】本発明に係るプラズマアドレス表示装置の動作説明に供するグラフである。
【図６】従来のプラズマアドレス表示装置の一例を示す断面図である。
【図７】図６に示した従来例の動作説明に供する模式図である。
【図８】従来のプラズマアドレス表示装置の電極構造を示す模式図である。
【符号の説明】
０・・・パネル、１・・・表示セル、２・・・プラズマセル、３・・・中間シート、４・・・ガラス基板、５・・・放電チャネル、７・・・隔壁、８・・・ガラス基板、９・・・液晶、１１・・・画素、１２・・・バックライト、１３・・・カラーフィルタ、２１・・・信号回路、２２・・・走査回路、２３・・・制御回路、５１・・・走査線、５２・・・走査線、Ｘ・・・走査電極、Ｙ・・・信号電極
【図１】
0003698560.tif 000002
【図２】
0003698560.tif 000003
【図３】
0003698560.tif 000004
【図４】
0003698560.tif 000005
【図５】
0003698560.tif 000006
【図６】
0003698560.tif 000007
【図７】
0003698560.tif 000008
【図８】
0003698560.tif 000009